(57)【要約】      （修正有）【課題】材料を撹拌、混合、或いは含気（起泡）させるに際して、小さな容器内でも、材料の飛び、ハネを抑えて、少量の材料であっても、撹拌、混合し、或いは含気させることができるポータブルな電動ハンドミキサーを提供する。【解決手段】モータを内蔵し、手で把持される本体２と、モータの回転で駆動する回転部３とからなり、回転部が、モータの回転に連絡する軸４と、軸の他端に固定されたヘッド５とからからなり、ヘッドが、軸と連結した上部６と、上部から垂下した複数の柱７と、柱の下端部に連結し、下に凸に湾曲した底面８を備える底部とからなる電動ハンドミキサーとした。【選択図】図１
2018064732.tif 000002
【特許請求の範囲】
【請求項１】
モータを内蔵し、手で把持される本体と、前記モータの回転で駆動する回転部とからなり、
前記回転部が、前記モータの回転に連絡する軸と、前記軸の他端に固定されたヘッドとからからなり、
前記ヘッドが、前記軸と連結した上部と、前記上部から垂下した複数の柱と、前記柱の下端部に連結し、下に凸に湾曲した底面を備える底部とからなることを特徴とする電動ハンドミキサー。
【請求項２】
前記柱の回転方向側の前面が反回転方向側に凸に湾曲したこと特徴とする請求項１に記載の電動ハンドミキサー。
【請求項３】
前記上部より前記底部の径が小さく、前記柱の外側の下部が切り欠かれ、回転軸側に屈曲した屈曲部を備えることを特徴とする請求項１に記載の電動ハンドミキサー。
【請求項４】
前記柱の回転軸側方向の内角部の辺が外側に向け広がり、前記複数の柱の内角部間のスペースの上が狭く、下が広いことを特徴とする請求項１に記載の電動ハンドミキサー。
【請求項５】
前記内角部の辺と回転軸との間の角度αを、２°〜５°の範囲としたことを特徴とする請求項４に記載の電動ハンドミキサー。
【請求項６】
前記柱の回転方向側の縁部である外角部の下方が切り欠かれ、反回転側方向に傾斜した傾斜辺を備えることを特徴とする請求項１に記載の電動ハンドミキサー。
【請求項７】
前記柱の反回転方向側の下方が切り欠かれ、回転側方向に傾斜した傾斜部を備えることを特徴とする請求項１に記載の電動ハンドミキサー。
【請求項８】
前記モータが、前記本体に内蔵されたバッテリで駆動することを特徴とする請求項１に記載の電動ハンドミキサー。
【請求項９】
請求項１〜請求項８の何れか１項に記載の電動ハンドミキサーが、カラー剤用であることを特徴とする電動ハンドミキサー。
【請求項１０】
材料を撹拌、混合、或いは含気させる、モータ内蔵の電動ハンドミキサー用のヘッドであって、
前記モータで回転する軸と連結する上部と、
前記上部から垂下した複数の柱と、
前記柱の下端部に連結し、下に凸に湾曲した底面を備える底部とからなることであることを特徴とするヘッド。
【発明の詳細な説明】
【技術分野】
【０００１】
本発明は、材料を撹拌、混合、或いは含気（起泡）させる、特に、小さな容器内でも、材料の飛び、ハネを抑えて、少量の材料であっても、撹拌、混合し、或いは含気させることができ、とりわけ、美容・理容で用いられるカラー剤（染毛剤）を混合しながら含気させることに好適なポータブル攪拌機である、電動ハンドミキサーに関する。
【背景技術】
【０００２】
対象材料としては、ボウル内で混合される、少量の液体、ペースト、粘稠物などが好適である。例えば、美容・理容で用いられるカラー剤が好適な対象材料である。
【０００３】
カラー剤は、一般に、１剤、２剤を混合してから使用する。１剤の成分は酸化染料とアルカリ剤、２剤の成分は酸化剤である。この１剤と２剤を混ぜ混合液とすることで、酸化染料が発色し、アルカリ剤によって開いた髪のキューティクルから、染料が髪の内部に浸透し、染料が髪に定着して、髪が染色される。
【０００４】
従来、１剤と２剤の混合は、一般に、１剤と２剤をボウルに入れ、ヘラ或いはハケで人の手で撹拌混合、或いはボトル内で振とうして混合していた。その作業は、煩雑で、多数の混合処理に向かない。
【０００５】
他方、１剤と２剤をホイップ（起泡）させたカラー剤もある。カラー剤の混合液をホイップさせることで、カラー剤の髪への塗布性が向上し、さらにカラー剤の塗布量の減量が可能になる。
【０００６】
一方、ミキサーとして、食品用の電動ハンドミキサー（特許文献１など）があるが、それらは大きなボウル内で使用するもので、材料の飛び、ハネがあっても問題ない。しかし、カラー剤は多量に使用せず、塗布時に容器を手に持つことから、小さな容器が使用される。したがって、単に、一般に流通している食品用の電動ハンドミキサーをカラー剤の混合に転用することはできない。
【先行技術文献】
【特許文献】
【０００７】
【特許文献１】特開平０８−２１５０７４号公報
【発明の概要】
【発明が解決しようとする課題】
【０００８】
そこで、本発明は、材料を撹拌、混合、或いは含気（起泡）させるに際して、小さな容器内でも、材料の飛び、ハネを抑えて、少量の材料であっても、撹拌、混合し、或いは含気させることができるポータブルな電動ハンドミキサーを提供することを目的とするものである。
【課題を解決するための手段】
【０００９】
上記の課題を解決するために、本発明は、
（１）
モータを内蔵し、手で把持される本体と、前記モータの回転で駆動する回転部とからなり、
前記回転部が、前記モータの回転に連絡する軸と、前記軸の他端に固定されたヘッドとからからなり、
前記ヘッドが、前記軸と連結した上部と、前記上部から垂下した複数の柱と、前記柱の下端部に連結し、下に凸に湾曲した底面を備える底部とからなることを特徴とする電動ハンドミキサー。
（２）
前記柱の回転方向側の前面が反回転方向側に凸に湾曲したこと特徴とする（１）に記載の電動ハンドミキサー。
（３）
前記上部より前記底部の径が小さく、前記柱の外側の下部が切り欠かれ、回転軸側に屈曲した屈曲部を備えることを特徴とする（１）に記載の電動ハンドミキサー。
（４）
前記柱の回転軸側方向の内角部の辺が外側に向け広がり、前記複数の柱の内角部間のスペースの上が狭く、下が広いことを特徴とする（１）に記載の電動ハンドミキサー。
（５）
前記内角部の辺と回転軸との間の角度αを、２°〜５°の範囲としたことを特徴とする  （４）に記載の電動ハンドミキサー。
（６）
前記柱の回転方向側の縁部である外角部の下方が切り欠かれ、反回転側方向に傾斜した傾斜辺を備えることを特徴とする（１）に記載の電動ハンドミキサー。
（７）
前記柱の反回転方向側の下方が切り欠かれ、回転側方向に傾斜した傾斜部を備えることを特徴とする（１）に記載の電動ハンドミキサー。
（８）
前記モータが、前記本体に内蔵されたバッテリで駆動することを特徴とする（１）に記載の電動ハンドミキサー。
（９）
（１）〜（１）の何れか１項に記載の電動ハンドミキサーが、カラー剤用であることを特徴とする電動ハンドミキサー。
（１０）
材料を撹拌、混合、或いは含気させる、モータ内蔵の電動ハンドミキサー用のヘッドであって、
前記モータで回転する軸と連結する上部と、
前記上部から垂下した複数の柱と、
前記柱の下端部に連結し、下に凸に湾曲した底面を備える底部とからなることであることを特徴とするヘッド。
とした。
【発明の効果】
【００１０】
本願発明は、上記構成であるので、材料を撹拌、混合、或いは含気させるに際して、小さな容器内でも、材料の飛び、ハネを抑えて、少量の材料であっても、撹拌、混合し、或いは含気させることができる。また、バッテリ式の電動ハンドミキサーであれば、コードレスで使用場所を選ばず、使い勝手がよい。
【図面の簡単な説明】
【００１１】
【図１】本発明である電動ハンドミキサーの一例の六面図である。
【図２】本発明であるヘッドの一例の斜視図である。
【図３】図２のヘッドの正面図である。
【図４】図２のヘッドの背面図である。
【図５】図２のヘッドの左側面図である。
【図６】図２のヘッドの右側面図である。
【図７】図２のヘッドの平面図である。
【図８】図２のヘッドの底面図である。
【図９】本発明であるヘッドの一例の断面説明図である。
【図１０】本発明の電動ハンドミキサーでカラー剤（１剤、２剤）を、混合、含気させたときの写真である。
【発明を実施するための形態】
【００１２】
以下、本発明について、図面を参照しながら詳細に説明する。なお、本発明は下記実施例に限定されるものではない。
【実施例１】
【００１３】
図１は、本発明である電動ハンドミキサーの一例の六面写真で、（Ａ）平面、（Ｂ）正面（Ｃ）底面、（Ｄ）背面、（Ｅ）左側面、（Ｆ）右側面である。
【００１４】
本発明の一例である電動ハンドミキサー１は、図１に示すように、本体２と回転部３からなる。回転部３は、軸４とヘッド５からなる。
【００１５】
本体２は、内部にモータを内蔵し、手で把持される部分である。モータの駆動電源は、バッテリ又は商用電源が好ましく、バッテリで駆動させることで、携帯性が一層高まり、使用範囲が広がる。
【００１６】
図１に示すように、本体２は、解除ボタン２ｃ、２ｃの操作で、キャップ２ｄが外れ、
内部に、モータ、基板等が収納できる。把持する部分は、握り易いように湾曲状に窪み、滑り止めの突条２ｅが輪状に複数本設けられている。
【００１７】
図１（Ａ）に示すように、平面位置に電源スイッチ２ａ及びバッテリの充電残量表示する充電残量ランプ２ｆが、背面側上部位置にモータに充電するための充電プラグ受け２ｂが設けられている。モータは、複数段階の回転スピード、回転初期の回転速度を抑えるよう、インバーター制御するとよい。材料の性質に合わせ、速度を調節することで、材料の飛び、ハネを一層抑制することができる。
【００１８】
軸４は、一端がモータの回転に連絡し、モータの回転で回転する。本体２（キャップ２ｄ）に着脱可能で、ヘッド５の洗浄の際に外すとよい。ヘッド５は、軸４の他端に固定され、材料に接触し、材料を撹拌、混合、或いは含気させる部分である。
【００１９】
電動ハンドミキサー１用のヘッド５は、図２〜図９に示すように、上部６と、柱７と、底部８からなり、内部にスペース９が形成される。
【００２０】
上部６は、上面に穴６ａが穿設され、穴６ａに軸４を嵌め、軸４と連結する。上部６の縁は、湾曲６ｂ（図９Ｄ−Ｄ断面等）している。上部６の縁を湾曲６ｂさせることで、材料の飛び、ハネの抑制作用がある。
【００２１】
柱７は、上部６から垂下し、底部に接続する。柱７は、等間隔に複数本設けられている。柱７は、回転方向側の前面７ａが水平断面視（図９Ｇ−Ｇ断面等）で、反回転方向側に凸に湾曲する。また、柱７の外側の下部が切り欠かれ、回転軸側に屈曲した屈曲部７ｂ（図９Ｄ−Ｄ断面等）を備える。
【００２２】
また、柱７は、柱７の回転軸側方向の内角部７ｃの辺が外側に向け広（図９Ｇ−Ｇ、Ｈ−Ｈ比較点線参照）がり、複数の柱７の内角部７ｃ間は、上が狭く、下が広くなるスペース９を形成する。内角部７ｃの辺と回転軸５ａ（垂直）との間の角度α（図４）は、０°以下より、２°〜５°の範囲にある方が、材料の撹拌時に、より材料の飛び、ハネの抑制作用がある。
【００２３】
また、柱７は、柱７の回転方向側の縁部である外角部７ｄの下方が切り欠かれ、反回転側方向に傾斜した傾斜辺７ｅ（図９Ｄ−Ｄ断面等）を備える。また、７柱の反回転方向側の下方が切り欠かれ、回転側方向に傾斜した傾斜部７ｆ（図９底面図等）を備える。柱７の構成のそれぞれに、材料の飛び、ハネの抑制作用がある。
【００２４】
底部８は、柱７の下端部に連結し、下に凸に湾曲８ａした底面を備える。底部が湾曲することで、材料を取り分けた容器が湾曲形状であっても、十分にムラなく撹拌することができ、材料の飛び、ハネを抑制する。
【００２５】
このようにしてなる本発明の電動ハンドミキサー、及び電動ハンドミキサー用のヘッドは、小さな容器内でも、材料の飛び、ハネを抑えて、少量の液体、ペースト、粘稠物の撹拌、混合、或いは含気に好適で、とりわけ、カラー剤（１、２剤）の混合、含気に最適である。
【００２６】
図１０に、カラー剤を混合、含気させたときの写真を掲載する。（Ａ）はボウル１０に絞ったカラー剤（１剤、２剤）１１の写真である（混合前）。（Ｂ）はカラー剤（１剤、２剤）１１をマドラー１２によって混合する従来の手動混合の様子を示す写真、（Ｃ）は（Ｂ）と同量のカラー剤（１剤、２剤）１１を本願発明の電動ハンドミキサー１によって混合、含気する様子を示す写真、（Ｄ）及び（Ｅ）は、撹拌後の混合カラー剤１３、１４の容積を比較したときの写真で、（Ｄ）が従来の手動撹拌した従来品、混合、（Ｅ）が本願発明の電動ハンドミキサー１によって撹拌、混合した本願発明の実施品である。
【００２７】
図１０（Ｃ）に示すように、ボウル１０に少量のカラー剤（１、２剤）１１を投入（Ａ）し、本願発明の電動ハンドミキサー１で撹拌したところ、カラー剤（１、２剤）１１の飛び、ハネも抑えて、ムラ無く、短期間で撹拌、含気することができた（Ｃ）。従来の手動撹拌に対して、本願発明の電動ハンドミキサー１による撹拌、混合では含気量の増加により、混合カラー剤１４の容積が、従来品に比べ約２５％増量（図１０（Ｄ）（Ｅ）中↑ＵＰ）した。
【００２８】
含気による容積の増加により、従来品に比べより多くの容量を塗布に使用することができ、また、含気により滑らか（ソフト）な仕上がりになるので、髪への塗布性が改善される。その結果、カラー剤の使用量を従来の塗布料から減量することができ、コスト低減が図れる。
【００２９】
さらに、その他、本願発明では、短時間でムラなく十分に均一に混合することができるので、従来にくらべ格段に作業性が向上するうえ、作業者間でバラついていた混合作業が均一化し、混合カラー剤が同じ性能に仕上がり、発色のバラツキがなくなる。
【００３０】
また、均一混合により、１剤、２剤の反応性が高まり、発色反応性が向上し、カラー剤の発色率が高まる。
【００３１】
また、カラー剤の２剤には過酸化水素水が含まれ、１剤との混合が均一でなく発色反応に用いられない過酸化水素が残存することで、頭皮を刺激する問題があったが、本願発明の電動ハンドミキサーをカラー剤の撹拌に用いることで、均一な撹拌が実現でき、発色反応が十分に進行し、過酸化水素の反応残が少なく、過酸化水素による頭皮刺激が軽減される。同様に、不十分な反応に基づく刺激臭も、本発明品による均一混合で軽減される。加えて、従来の塗布時の冷涼感が、本願発明の実施品では、含気により軽減される。
【符号の説明】
【００３２】
１    電動ハンドミキサー
２    本体
２ａ  電源スイッチ
２ｂ  充電プラグ受け
２ｃ  解除ボタン
２ｄ  キャップ
２ｅ  突条
２ｆ  充電残量ランプ
３    回転部
４    軸
５    ヘッド
５ａ  回転軸
６    上部
６ａ  穴
６ｂ  湾曲
７    柱
７ａ  前面
７ｂ  屈曲部
７ｃ  内角部
７ｄ  外角部
７ｅ  傾斜辺
７ｆ  傾斜部
８    底部
８ａ  湾曲
９    スペース
α    角度
１０  ボウル
１１  カラー剤（１剤、２剤）
１２  マドラー
１３  混合カラー剤
１４  混合カラー剤
【図１】
2018064732.tif 000003
【図２】
2018064732.tif 000004
【図３】
2018064732.tif 000005
【図４】
2018064732.tif 000006
【図５】
2018064732.tif 000007
【図６】
2018064732.tif 000008
【図７】
2018064732.tif 000009
【図８】
2018064732.tif 000010
【図９】
2018064732.tif 000011
【図１０】
2018064732.tif 000012